(57)【要約】【課題】  他人が作成した再生区間リストに基づいて、利用者が保持する映像コンテンツを再生する際に問題となる再生リストのファイル名と映像コンテンツの対応をとり、映像コンテンツの一部をカットしたような映像の再生開始時刻と再生区間リストの再生開始時刻が不一致にならないようにする。【解決手段】  本発明は、提供者装置において、入力された映像の映像識別情報を生成し、映像識別情報と映像の再生開始時刻と再生終了時刻からなる再生区間を示すリストを組にした映像再生区間リストを生成し、アップロードする。受信者装置では、映像再生区間リストを受信すると、映像再生区間リスト受信者の環境に応じて該映像再生区間リストを補正する。補正時に、映像コンテンツ全体を使用して時刻のズレを補正する。または、部分的にカットされた映像についてアクティブ探索により補正する。【選択図】  図１
2006333398.tif 000002
【特許請求の範囲】
【請求項１】
映像再生区間リスト提供者装置と映像再生区間リスト受信者装置との間でネットワークを介して映像再生区間リストの送受信を行う映像再生区間リスト配信方法であって、
前記映像再生区間リスト提供者装置において、
入力された映像の第１の映像識別情報を生成する第１の映像識別情報生成ステップと、
前記第１の映像識別情報と前記映像の再生開始時刻と再生終了時刻からなる再生区間を示すリストを組にした映像再生区間リストを生成し、映像再生区間リスト記憶手段に格納する映像再生区間リスト生成ステップと、
前記映像再生区間リスト記憶手段に格納された前記映像再生区間リストをアップロードするアップロードステップと、を行い、
前記映像再生区間リスト受信者装置において、
前記第１の映像識別情報生成ステップと同様の方法で、入力された映像の第２の映像識別情報を生成する第２の映像識別情報生成ステップと、
前記第２の映像識別情報と前記映像の映像ファイル名とを対応付けた映像情報を作成し、映像識別情報記憶手段に格納する映像情報生成ステップと、
前記映像再生区間リストを受信すると、該映像再生区間リストを映像再生区間リスト受信者の環境に応じて補正し、補正後映像再生区間リストを作成し、補正後映像再生区間リスト記憶手段に格納する映像再生区間リスト補正ステップと、
を行うことを特徴とする映像再生リスト配信方法。
【請求項２】
前記映像再生区間リスト補正ステップにおいて、
前記映像再生区間リスト受信者装置は、受信した前記映像再生区間リストに含まれる第１の映像識別情報と一致する映像を、前記映像識別情報記憶手段から該ユーザがアクセス可能な映像ファイルの映像識別情報である、前記第２の映像識別情報を用いて検索するステップと、
前記第２の映像識別情報と前記第１の映像識別情報から検索された前記映像の再生時刻のズレを求め、該再生時刻のズレを補正し、前記補正後映像再生区間リストを作成するステップと、
を行う請求項１記載の映像再生リスト配信方法。
【請求項３】
前記映像再生区間リスト補正ステップにおいて、
前記映像再生区間リスト受信者装置は、前記受信した映像再生区間リストに含まれる前記第１の映像識別情報のうち、再生区間のみに関する区間映像識別情報を作成するステップと、
作成した前記区間映像識別情報に対応する映像区間を、映像の再生区間情報を保持する再生区間記憶手段から該第１の映像識別情報を用いて検索するステップと、
検索された映像区間と映像ファイル名に基づいて、前記補正後映像再生リストを生成するステップと、
を行う請求項１記載の映像再生リスト配信方法。
【請求項４】
映像再生区間リストを送信する映像再生区間リスト提供者装置と、映像再生区間リストを受信する映像再生区間リスト受信者装置とからなる映像再生区間リスト配信システムであって、
前記映像再生区間リスト提供者装置は、
入力された映像の第１の映像識別情報を生成する第１の映像識別情報生成手段と、
前記第１の映像識別情報と前記映像の再生開始時刻と再生終了時刻からなる再生区間を示すリストを組にした映像再生区間リストを生成し、映像再生区間リスト記憶手段に格納する映像再生区間リスト生成手段と、
前記映像再生区間リスト記憶手段に格納された前記映像再生区間リストをアップロードするアップロード手段と、を有し、
前記映像再生区間リスト受信者装置は、
前記第１の映像識別情報生成手段と同様の方法で、入力された映像の第２の映像識別情報を生成する第２の映像識別情報生成手段と、
前記第２の映像識別情報と前記映像の映像ファイル名とを対応付けた映像情報を作成し、映像識別情報記憶手段に格納する映像情報生成手段と、
前記映像再生区間リストを受信すると、該映像再生区間リストを映像再生区間リスト受信者の環境に応じて補正し、補正後映像再生区間リストを作成し、補正後映像再生区間リスト記憶手段に格納する映像再生区間リスト補正手段と、
を有することを特徴とする映像再生リスト配信システム。
【請求項５】
前記映像再生区間リスト補正手段は、
受信した前記映像再生区間リストに含まれる前記第１の映像識別情報と一致する映像を、ユーザがアクセス可能な映像ファイルの映像識別情報である、前記第２の映像識別情報を用いて前記映像識別情報記憶手段から検索する手段と、
前記第２の映像識別情報と前記第１の映像識別情報に基づいて映像の再生時刻のズレを求め、該再生時刻のズレを補正し、前記補正後映像再生区間リストを作成する手段と、
を含む請求項４記載の映像再生リスト配信システム。
【請求項６】
前記映像再生区間リスト補正手段は、
映像の再生区間情報を保持する再生区間記憶手段と、
前記受信した映像再生区間リストに含まれる前記第１の映像識別情報のうち、再生区間のみに関する区間映像識別情報を作成する手段と、
作成した前記区間映像識別情報に対応する映像区間を、前記再生区間記憶手段から該第１の映像識別情報を用いて検索する手段と、
検索された映像区間と映像ファイル名に基づいて、前記補正後映像再生リストを生成する手段と、
を有する請求項４記載の映像再生リスト配信システム。
【請求項７】
映像再生区間リストを作成し、送信するための映像再生区間リスト提供者装置として利用されるコンピュータに、
入力された映像の第１の映像識別情報を生成する映像識別情報生成ステップと、
映像識別情報と前記映像の再生開始時刻と再生終了時刻からなる再生区間を示すリストを組にした映像再生区間リストを生成し、映像再生区間リスト記憶手段に格納する映像再生区間リスト生成ステップと、
前記映像再生区間リスト記憶手段に格納された前記映像再生区間リストをアップロードするアップロードステップと、
を実行させることを特徴とする映像再生リスト配信プログラム。
【請求項８】
映像再生区間リストを受信する映像再生区間リスト受信者装置として利用されるコンピュータに、
映像再生区間リスト提供者装置として利用されるコンピュータにおける映像識別情報生成ステップと同様の方法で、入力された映像の第２の映像識別情報を生成する映像識別情報生成ステップと、
前記第２の映像識別情報と前記映像の映像ファイル名とを対応付けた映像情報を作成し、映像識別情報記憶手段に格納する映像情報生成ステップと、
前記映像再生区間リストを受信すると、該映像再生区間リストを映像再生区間リスト受信者の環境に応じて補正し、補正後映像再生区間リストを作成し、補正後映像再生区間リスト記憶手段に格納する映像再生区間リスト補正ステップと、
を実行させることを特徴とする映像配信プログラム。
【請求項９】
前記映像再生区間リスト補正ステップにおいて、
前記映像再生区間リスト受信者装置は、受信した前記映像再生区間リストに含まれる第１の映像識別情報と一致する映像を、ユーザがアクセス可能な映像ファイルの映像識別情報である、前記第２の映像識別情報を用いて前記映像識別情報記憶手段から検索するステップと、
前記第２の映像識別情報と前記第１の映像識別情報に基づいて映像の再生時刻のズレを求め、該再生時刻のズレを補正し、前記補正後映像再生区間リストを作成するステップと、
を実行する請求項８記載の映像再生リスト配信プログラム。
【請求項１０】
前記映像再生区間リスト補正ステップにおいて、
受信した前記映像再生区間リストに含まれる前記第１の映像識別情報のうち、再生区間のみに関する区間映像識別情報を作成するステップと、
作成した前記区間映像識別情報に対応する映像区間を、映像再生区間情報を保持する再生区間記憶手段から該第１の映像識別情報を用いて検索するステップと、
検索された映像区間と映像ファイル名に基づいて、前記補正後映像再生リストを生成するステップと、
を実行する請求項８記載の映像再生リスト配信プログラム。
【発明の詳細な説明】
【技術分野】
【０００１】
本発明は、映像配信方法及びシステム及びプログラムに係り、特に、利用者が映像再生区間リストを配信するための映像配信方法及びシステム及びプログラムに関する。
【背景技術】
【０００２】
映像中の盛り上がる区間を他者に伝えるなど、様々な場面において、映像の区間情報、あるいは再生区間リストを配信・受信する技術が望まれている。
【０００３】
再生区間リストの提供者と受信者が全く同一の映像を同一の名前で保持している場合や、同一の映像を参照できる場合は、映像ファイル名と区間の時刻情報のみをやり取りすればよく、例えば、Windows（登録商標）のASX形式などで簡単に実施可能である。以下にASXのフォーマットを示す。
<asx version=”3.0”>
<Entry>
<StartTime value=”0:1:11.0”/>
<Duration Value=”0:2:0.0”/>
<ref href=”http://foo.bar.com/test.mpg”/>
<Entry>
<Entry>
<StartTime Value=”1:0:10.0”/>
<Duration Value=”0:4:10.0/>
<ref href=”http://foo.bar.com/test.mpg”/>
<Entry>
</asx>
上記の“StartTime Value”は開始時刻を、“Duration Value”は再生時間幅を、“ref href”は映像のファイル名を設定する。上記の例では、“http://foo.bar.com/test.mpg”の１分１１秒から２分間と、１時間０分１０秒から４分１０秒間再生することを示している。
【０００４】
このような映像再生区間リストがあれば、映像の特定の区間のみを再生することが可能である。
【発明の開示】
【発明が解決しようとする課題】
【０００５】
しかしながら、著作権などの問題から映像再生区間リスト提供者と映像再生区間リスト受信者が同一の映像を参照することが不可能な場合もある。例えば、テレビ番組に関しての映像再生区間リストを提供したいと考えた場合、放送局以外の映像再生区間リスト提供者が映像本体を同時に提供することはできない。しかしながら、映像再生区間リスト提供者も映像再生区間リスト受信者も同一番組を別々に録画しているような場合には、映像再生区間リストのみを受信し、映像は映像再生区間リスト受信者が録画した映像を再生することによって視聴することが可能となる。但し、このような場合、上記従来の技術では、２つの問題が発生する。
【０００６】
１つ目は、ファイル名の問題である。映像再生区間リスト提供者と映像再生区間リスト受信者が各々別のファイル名を付ける場合、それらが一致するとは考えにくい。
【０００７】
２つ目は、時刻の問題である。時刻指定方法が映像の先頭からｎ秒後といったような指定方法のため、先頭の時刻が異なってしまうと再生される部分も変わってしまう。
【０００８】
そのため、映像再生区間リストの表現方法として、上記のASXを例にすれば、“StartTime Value”及び“ref href”の設定は手作業に因らなくてはならない。これは面倒な作業であり、自動化が望まれる課題である。
【０００９】
本発明は、上記の点に鑑みなされたもので、映像再生区間リスト提供者と受信者が同一映像を参照できない場合においても、映像再生区間リストの授受が可能な映像配信方法及びシステム及びプログラムを提供することを目的とする。
【課題を解決するための手段】
【００１０】
図１は、本発明の原理を説明するための図である。
【００１１】
本発明（請求項１）は、映像再生区間リスト提供者装置と映像再生区間リスト受信者装置との間でネットワークを介して映像再生区間リストの送受信を行う映像再生区間リスト配信方法であって、
映像再生区間リスト提供者装置において、
入力された映像の第１の映像識別情報を生成する第１の映像識別情報生成ステップ（ステップ１）と、
第１の映像識別情報と映像の再生開始時刻と再生終了時刻からなる再生区間を示すリストを組にした映像再生区間リストを生成し、映像再生区間リスト記憶手段に格納する映像再生区間リスト生成ステップ（ステップ２）と、
映像再生区間リスト記憶手段に格納された映像再生区間リストをアップロードするアップロードステップ（ステップ３）と、を行い、
映像再生区間リスト受信者装置において、
第１の映像識別情報生成ステップと同様の方法で、入力された映像の第２の映像識別情報を生成する第２の映像識別情報生成ステップ（ステップ４）と、
第２の映像識別情報と映像の映像ファイル名とを対応付けた映像情報を作成し、映像識別情報記憶手段に格納する映像情報生成ステップ（ステップ５）と、
映像再生区間リストを受信すると（ステップ６）、該映像再生区間リストを映像再生区間リスト受信者の環境に応じて補正し、補正後映像再生区間リストを作成し、補正後映像再生区間リスト記憶手段に格納する映像再生区間リスト補正ステップ（ステップ７）と、を行う。
【００１２】
また、本発明（請求項２）は、映像再生区間リスト補正ステップにおいて、
映像再生区間リスト受信者装置は、受信した映像再生区間リストに含まれる第１の映像識別情報と一致する映像を、映像識別情報記憶手段から該ユーザがアクセス可能な映像ファイルの映像識別情報である、第２の映像識別情報を用いて検索するステップと、
第２の映像識別情報と第１の映像識別情報から検索された映像の再生時刻のズレを求め、該再生時刻のズレを補正し、補正後映像再生区間リストを作成するステップと、を行う。
【００１３】
また、本発明（請求項３）は、映像再生区間リスト補正ステップにおいて、
映像再生区間リスト受信者装置は、受信した映像再生区間リストに含まれる第１の映像識別情報のうち、再生区間のみに関する区間映像識別情報を作成するステップと、
作成した区間映像識別情報に対応する映像区間を、映像の再生区間情報を保持する再生区間記憶手段から該第１の映像識別情報を用いて検索するステップと、
検索された映像区間と映像ファイル名に基づいて、補正後映像再生リストを生成するステップと、を行う。
【００１４】
図２は、本発明の原理構成図である。
【００１５】
本発明（請求項４）は、映像再生区間リストを送信する映像再生区間リスト提供者装置１００と、映像再生区間リストを受信する映像再生区間リスト受信者装置２００とからなる映像再生区間リスト配信システムであって、
映像再生区間リスト提供者装置１００は、
入力された映像の第１の映像識別情報を生成する第１の映像識別情報生成手段１１２と、
第１の映像識別情報と映像の再生開始時刻と再生終了時刻からなる再生区間を示すリストを組にした映像再生区間リストを生成し、映像再生区間リスト記憶手段１１６に格納する映像再生区間リスト生成手段１１４と、
映像再生区間リスト記憶手段１１６に格納された映像再生区間リストをアップロードするアップロード手段１１５と、を有し、
映像再生区間リスト受信者装置２００は、
第１の映像識別情報生成手段と同様の方法で、入力された映像の第２の映像識別情報を生成する第２の映像識別情報生成手段２２２と、
第２の映像識別情報と映像の映像ファイル名とを対応付けた映像情報を作成し、映像識別情報記憶手段２２６に格納する映像情報生成手段２２３と、
映像再生区間リストを受信すると、該映像再生区間リストを映像再生区間リスト受信者の環境に応じて補正し、補正後映像再生区間リストを作成し、補正後映像再生区間リスト記憶手段２２７に格納する映像再生区間リスト補正手段２２５と、を有する。
【００１６】
また、本発明（請求項５）は、映像再生区間リスト補正手段２２５において、
受信した映像再生区間リストに含まれる第１の映像識別情報と一致する映像を、ユーザがアクセス可能な映像ファイルの映像識別情報である、第２の映像識別情報を用いて映像識別情報記憶手段２２６から検索する手段と、
第２の映像識別情報と第１の映像識別情報に基づいて映像の再生時刻のズレを求め、該再生時刻のズレを補正し、補正後映像再生区間リストを作成する手段と、を含む。
【００１７】
また、本発明（請求項６）は、映像再生区間リスト補正手段２２５において、
映像の再生区間情報を保持する再生区間記憶手段と、
受信した映像再生区間リストに含まれる第１の映像識別情報のうち、再生区間のみに関する区間映像識別情報を作成する手段と、
作成した区間映像識別情報に対応する映像区間を、再生区間記憶手段から該第１の映像識別情報を用いて検索する手段と、
検索された映像区間と映像ファイル名に基づいて、補正後映像再生リストを生成する手段と、を有する。
【００１８】
本発明（請求項７）は、映像再生区間リストを作成し、送信するための映像再生区間リスト提供者装置として利用されるコンピュータに、
入力された映像の第１の映像識別情報を生成する映像識別情報生成ステップと、
映像識別情報と映像の再生開始時刻と再生終了時刻からなる再生区間を示すリストを組にした映像再生区間リストを生成し、映像再生区間リスト記憶手段に格納する映像再生区間リスト生成ステップと、
映像再生区間リスト記憶手段に格納された映像再生区間リストをアップロードするアップロードステップと、を実行させるプログラムである。
【００１９】
また、本発明（請求項８）は、映像再生区間リストを受信する映像再生区間リスト受信者装置として利用されるコンピュータに、
映像再生区間リスト提供者装置として利用されるコンピュータにおける映像識別情報生成ステップと同様の方法で、入力された映像の第２の映像識別情報を生成する映像識別情報生成ステップと、
第２の映像識別情報と映像の映像ファイル名とを対応付けた映像情報を作成し、映像識別情報記憶手段に格納する映像情報生成ステップと、
映像再生区間リストを受信すると、該映像再生区間リストを映像再生区間リスト受信者の環境に応じて補正し、補正後映像再生区間リストを作成し、補正後映像再生区間リスト記憶手段に格納する映像再生区間リスト補正ステップと、を実行させる。
【００２０】
また、本発明（請求項９）は、映像再生区間リスト補正ステップにおいて、
映像再生区間リスト受信者装置は、受信した映像再生区間リストに含まれる第１の映像識別情報と一致する映像を、ユーザがアクセス可能な映像ファイルの映像識別情報である、第２の映像識別情報を用いて映像識別情報記憶手段から検索するステップと、
第２の映像識別情報と第１の映像識別情報に基づいて映像の再生時刻のズレを求め、該再生時刻のズレを補正し、補正後映像再生区間リストを作成するステップと、を実行する。
【００２１】
また、本発明（請求項１０）は、映像再生区間リスト補正ステップにおいて、
受信した映像再生区間リストに含まれる第１の映像識別情報のうち、再生区間のみに関する区間映像識別情報を作成するステップと、
作成した区間映像識別情報に対応する映像区間を、映像再生区間情報を保持する再生区間記憶手段から該第１の映像識別情報を用いて検索するステップと、
検索された映像区間と映像ファイル名に基づいて、補正後映像再生リストを生成するステップと、を実行する。
【発明の効果】
【００２２】
上述のように本発明によれば、映像再生区間リスト提供者が提供した映像再生区間リスト情報を、自動的に映像再生区間リスト受信者の環境に合わせて補正することができる。
【００２３】
これにより、映像再生区間リスト提供者と受信者が同一映像を参照できない場合においても、映像再生区間リストの授受が可能となる。
【００２４】
その結果、映像再生区間リスト受信者は、機械的に自動作成された映像再生区間リストと比較して高品質（元のコンテンツの面白さを保った）な映像再生区間再生視聴が可能となる。
【発明を実施するための最良の形態】
【００２５】
以下、図面と共に本発明の実施の形態を説明する。
【００２６】
図３は、本発明の一実施の形態におけるシステム構成を示す。
【００２７】
同図に示すシステムは、映像再生区間リスト提供者装置１００と映像再生区間リスト受信者装置２００がネットワーク３００を介して接続されている例を示している。
【００２８】
図４は、本発明の一実施の形態における装置構成を示す。
【００２９】
映像再生区間リスト提供者装置１００は、映像を取得する映像取得部１１１、映像から映像を識別する映像識別情報を生成する映像識別情報生成部１１２、映像再生区間リストを作成する映像再生区間リスト作成部１１３、映像識別情報と映像再生区間リストとして用いるメディアタイム（開始時刻・終了時刻）がセットになった映像再生区間リストを生成し、映像再生区間リスト記憶部１１６に保存する映像再生区間リスト生成部１１４、映像再生区間リストを視聴者が見ることができる状態にする映像再生区間リストアップロード部１１５、映像再生区間リスト記憶部１１６から構成される。
【００３０】
映像再生区間リスト受信者装置２００は、映像を取得する映像取得部２２１、映像から映像を識別する映像識別情報を生成する映像識別情報生成部２２２、映像識別情報と映像ファイル名とを対応付ける映像情報を作成し、映像識別情報記憶部２２６に保存する映像情報生成部２２３、映像識別情報記憶部２２６、映像再生区間リストを選択する映像再生区間リスト選択部２２４、映像再生区間リスト提供者装置１００から提供される映像再生区間リストを、環境に合わせて補正する映像再生区間リスト補正部２２５、補正した映像再生区間リストを格納する補正後映像再生区間リスト記憶部２２７から構成される。
【００３１】
このうち、映像再生区間リスト受信装置２００は、映像取得時には、映像取得部２２１、映像識別情報生成部２２２、映像情報生成部２２３、映像識別情報記憶部２２６を用い、また、映像再生区間リスト受信時には、映像再生区間リスト選択部２２４、映像再生区間リスト補正部２２５を用いる。
【００３２】
次に、上記の構成における動作を説明する。
【００３３】
図５は、本発明の一実施の形態における映像再生区間リスト提供者装置の動作のフローチャートである。
【００３４】
ステップ１１）  映像再生区間リスト提供者装置１００の映像取得部１１１は、映像の入力が可能な装置から映像を取得する。ここで、映像の入力が可能な装置としては、ビデオ（ＤＶＤ）レコーダや撮影装置等があるが、どのような装置であっても映像入力が可能な装置であればよい。
【００３５】
ステップ１２）  映像識別情報生成部１１２は、取得した映像から当該映像を識別するための映像識別情報を生成する。ここで、生成する映像識別情報は、映像を識別するが可能であればどのような方法を使っても構わない。本実施の形態では、映像識別情報としてカメラのカット点を用いている。但し、後述するステップ２２と同じ映像識別情報生成処理である必要がある。具体的な実現方法として、例えば、特開２００３−３２３４５２「データ識別情報及びシステム及びデータ識別プログラム及びデータ識別プログラムを格納した記憶媒体」に開示されている方法を用いることが可能である。これは、映像中に含まれる、ある特徴のシーケンスにより映像を識別可能とするものである。
【００３６】
また、映像の取得方法がテレビ番組の録画でのみ可能な簡単な方法としては、映像再生区間リスト提供者装置１００と映像再生区間リスト受信者装置２００との間で、録画時のファイル名の付け方にルールを設けることも考えられる。ＮＴＰサーバで時刻合わせを行い、ファイル名として、チャンネル＋録画開始時刻のようなルールをお互いに設ければ、ファイル名をそのまま映像識別情報として利用することも可能である。
【００３７】
ステップ１３）  再生区間リスト作成部１１３は、入力装置１０から入力された再生する映像の開始点及び終了点の時刻に基づいて、再生区間リストを生成し、映像再生区間リスト生成部１１４に出力する。
【００３８】
ステップ１４）  映像再生区間リスト生成部１１４は、映像識別情報生成部１１２で生成された映像識別情報と、再生区間リスト作成部１１３で生成された再生区間リストを組みとする映像再生区間リストを生成し、映像再生区間リスト記憶部１１６に格納する。当該ステップにおいて生成される映像再生区間リストの例を図６に示す。同図に示すように、映像再生区間リストは、映像再生区間リスト受信者装置において映像ファイル名を特定できる情報である映像識別情報と、そのファイルのどこからどこまでを再生するのかといった再生時間のリスト情報からなる。
【００３９】
ステップ１５）  映像再生区間リストアップロード部１１５は、映像再生区間リスト記憶部１１６から映像再生区間リストを読み出して、視聴者が見ることができる状態にするために、ネットワーク３００上のサーバにアップロードする。なお、アップロード先はサーバに限定されることなく、Ｐ２Ｐなどの技術を適用することも可能である。
【００４０】
次に、映像再生区間リスト受信者装置における映像取得時の動作を説明する。
【００４１】
図７は、本発明の一実施の形態における映像再生区間リスト受信者装置の動作のフローチャート（その１）である。
【００４２】
ステップ２１）  映像取得部２２１は、前述のステップ１１と同様に、映像の入力が可能な装置から映像を取得する。
【００４３】
ステップ２２）  映像識別情報生成部２２２は、映像から映像を識別する映像識別情報を生成する。なお、映像識別情報の生成では、前述のステップ１２と同じ生成過程である必要がある。
【００４４】
ステップ２３）  映像情報生成部２２３は、ステップ２２で生成された映像識別情報と映像ファイル名を対応付ける映像情報を作成し、映像識別情報記憶部２２６に格納する。生成された映像情報の例を図８に示す。映像情報は、映像識別情報と映像再生区間リスト受信者装置２００がアクセス可能な映像ファイルの映像ファイル名からなる。つまり、映像識別情報とファイル名との対応関係を保持する情報である。
【００４５】
次に、映像再生区間リスト受信者装置２００における、映像再生区間リスト受信時の動作を説明する。
【００４６】
図９は、本発明の一実施の形態における映像再生区間リスト受信者装置の動作のフローチャート（その２）である。
【００４７】
ステップ２４）  映像再生区間リスト選択部２２４は、ネットワーク３００上のサーバ等から映像再生区間リストを受信すると、映像識別情報記憶部２２６から受信した映像再生区間リストに対応し、映像再生区間リスト受信者がアクセス可能なファイルを選択する。
【００４８】
ステップ２５）  映像再生区間リスト補正部２２５は、受信した映像再生区間リストについて、選択された映像再生区間リストに基づいて、映像再生区間の時間的なズレや、映像コンテンツの部分的な再生区間に関する補正を行い、補正後映像再生区間リストを作成し、補正後映像再生区間リスト記憶部２２７に格納する。
【００４９】
次に、上記のステップ２５の処理について詳細に説明する。
【００５０】
このときの映像再生区間リスト補正部２２５の構成を図１０に示し、その動作を図１１に示す。
【００５１】
映像再生区間リスト補正部２２５は、映像探索部２５１と時刻ズレ補正部２５２から構成され、映像探索部２５１は映像識別情報記憶部２２６及び補正後映像再生区間リスト記憶部２２７に接続される。
【００５２】
ステップ２５１）  映像探索部２５１は、映像識別情報Ａを含む受信した映像再生区間リストを受信すると、映像識別情報Ａに基づいて、映像再生区間リスト受信者がアクセス可能な映像の映像識別情報Ｂを映像識別情報記憶部２２６から探索する。これにより、映像識別情報Ｂに対応する映像ファイル名を抽出できるため、受信した再生区間リストの映像識別情報Ａと映像コンテンツを対応付けることができる。
【００５３】
ステップ２５２）  映像識別情報Ａと、映像識別情報Ｂから、当該映像コンテンツとの時刻のズレを求め、時刻のズレを補正し、補正後の映像再生区間リストを生成し、補正後映像再生リスト記憶部２２７に格納する。例えば、映像識別情報Ａ（カメラのカット点）が、“１，９，２１，…”となっており、また、映像識別情報Ｂが“４，１３，２５，…”となっているとき、開始点であり、映像識別情報Ｂが映像識別情報Ａより最初のカット点で３秒遅れているとする。このとき、受信した映像識別情報Ａの開始点が“１０分５秒”であったとき、図１４に示すように、当該映像の開始点を“１０分８秒”と補正し、補正後映像再生区間リスト記憶部２２８に格納する。
【００５４】
これにより、利用者が有する映像コンテンツの一部区間を削除済み（例えば、テレビ番組を録画したものをコマーシャル部分をカットしたファイルとして保存していた場合を想定）である場合に、ファイルの先頭からの経過時刻と他者が作成した再生区間リストが示す時刻とが不一致になることを解決している。
【００５５】
次に、上記とは別の方法でも補正を行うことができる。
【００５６】
映像再生区間リスト補正部２２５の別の構成を図１２に示し、その動作を図１３に示す。
【００５７】
映像再生区間リスト補正部２２５は、区間映像識別情報作成部２５３と部分映像探索部２５４から構成され、部分映像探索部２５４は映像識別情報記憶部２２６と映像ファイル２２７及び、映像毎の再生区間を保持する再生区間記憶部２２８に接続されている。
【００５８】
ステップ２５３）  区間映像識別情報作成部２５３は、受信した映像再生区間リストに含まれる映像識別情報のうち、再生区間のみに関する部分（区間映像識別情報）を作成する。例えば、特開２００３−３２３４５２「データ識別情報及びシステム及びデータ識別プログラム及びデータ識別プログラムを格納した記憶媒体」に開示されている方法であれば、映像特徴シーケンスのうち、再生区間のみを切り出すことで作成可能である。
【００５９】
また、チャンネル＋映像開始時刻の例であれば、メディアタイムを用いることで、擬似的に、再生区間について「チャンネル＋映像開始時刻」というファイル名のファイルを作成することが可能である。
【００６０】
ステップ２５４）  部分映像探索部２５４は、ステップ２５３で作成した区間映像識別情報に対応する映像区間（開始点・終了点）を映像識別情報Ａに基づいて、再生区間記憶部２２８を検索して取得する。取得したファイル名と区間映像時刻情報から補正後映像再生区間リストを生成し、補正後映像再生リスト記憶部２２７に格納する。
【００６１】
なお、ファイル名は、受信した映像再生区間リストの映像識別情報に基づいて、映像識別情報記憶部２２６を検索することにより、対応するファイル名を得ることができる。
【００６２】
この映像再生区間リスト補正処理によって、補正後映像再生区間リストが作成され、記憶手段（図示せず）に格納される。補正後の映像再生リストの例を図１４に示す。
【００６３】
補正後映像再生区間リストは、ユーザがアクセス可能な状態のファイルが対象であるため、アクセス可能な映像ファイル名とダイジェストとして用いるメディアタイム区間とからなる。ここで、「ダイジェスト」とは、映像再生区間リストに従って作成されたリストを指す。
【００６４】
上記のステップ２５３とステップ２５４を行うことで、例えば、既にコマーシャル部分をカットした映像ファイル２２７の映像コンテンツに対して、短い区間をマッチング対象としてアクティブ探索によりマッチングを行うことができる。
【００６５】
なお、上記の動作をプログラムとして構築し、映像再生区間リスト提供者装置、映像再生区間リスト受信者装置として利用されるコンピュータにインストールして実行する、または、ネットワークを介して流通させることも可能である。
【００６６】
なお、本発明は、上記の実施の形態及び実施例に限定されることなく、特許請求の範囲内において種々変更・応用が可能である。
【産業上の利用可能性】
【００６７】
本発明は、映像の再生する部分に関する情報（リスト）を交換する技術に適用可能である。
【図面の簡単な説明】
【００６８】
【図１】本発明の原理を説明するための図である。
【図２】本発明の原理構成図である。
【図３】本発明の一実施の形態におけるシステム構成図である。
【図４】本発明の一実施の形態における装置構成図である。
【図５】本発明の一実施の形態における映像再生区間リスト提供者装置の動作のフローチャートである。
【図６】本発明の一実施の形態における映像再生区間リスト情報の例である。
【図７】本発明の一実施の形態における映像再生区間リスト受信者装置の動作のフローチャート（その１）である。
【図８】本発明の一実施の形態における映像識別情報記憶部の例である。
【図９】本発明の一実施の形態における映像再生区間リスト受信者装置の動作のフローチャート（その２）である。
【図１０】本発明の一実施の形態における映像再生区間リスト補正部の構成図（その１）である。
【図１１】本発明の一実施の形態における映像再生区間リスト補正処理のフローチャート（その１）である。
【図１２】本発明の一実施の形態における映像再生区間リスト補正部の構成図（その２）である。
【図１３】本発明の一実施の形態における映像再生区間リスト補正処理のフローチャート（その２）である。
【図１４】本発明の一実施の形態における補正語映像再生区間リスト記憶部の例である。
【符号の説明】
【００６９】
１０  入力装置
２０  入力装置
３０  表示装置
１００  映像再生区間リスト提供者装置
１１１  映像取得部
１１２  第１の映像識別情報生成手段、映像識別情報生成部
１１４  映像再生区間リスト生成手段、再生区間リスト作成部
１１５  アップロード手段、映像再生区間リストアップロード部
１１６  映像再生区間リスト記憶手段、映像再生区間リスト記憶部
２００  映像再生区間リスト受信者装置
２２１  映像取得部
２２２  第２の映像識別情報生成手段、映像識別情報生成部
２２３  映像情報生成手段、映像情報生成部
２２４  映像再生区間選択部
２２５  映像再生区間リスト補正手段、映像再生区間リスト補正部
２２６  映像識別情報記憶手段、映像識別情報記憶部
２５１  映像探索部
２５２  時刻ズレ補正部
２５３  区間映像識別情報作成部
２５４  部分映像探索部
３００  ネットワーク
【図１】
2006333398.tif 000003
【図２】
2006333398.tif 000004
【図３】
2006333398.tif 000005
【図４】
2006333398.tif 000006
【図５】
2006333398.tif 000007
【図６】
2006333398.tif 000008
【図７】
2006333398.tif 000009
【図８】
2006333398.tif 000010
【図９】
2006333398.tif 000011
【図１０】
2006333398.tif 000012
【図１１】
2006333398.tif 000013
【図１２】
2006333398.tif 000014
【図１３】
2006333398.tif 000015
【図１４】
2006333398.tif 000016